(57)【要約】【課題】製氷板の裏面側への製氷水の流出を防止する。【解決手段】除氷水散水器５０は、製氷水散水器３２の下方において製氷板１８の上部裏面に位置して該製氷板１８の横方向に亘って延在するよう設けられ、製氷板１８の裏面に除氷水を供給する供給孔５４を有する本体部５２と、本体部５２の側面に横方向に延在するように突出形成され、散水案内器４０の被覆部４２に設けられた収容部４８に収容されて製氷板１８の上端に当接するフランジ部５６とを備えている。散水装置３０は、フランジ部５６が製氷板１８の上端に当接して製氷板１８の上方を塞ぐので、製氷水が製氷面２２ａから裏面側に回り込むのを防止し得る。【選択図】図１
2010190450.tif 000002
【特許請求の範囲】
【請求項１】
製氷板(18)の上方に設けられ、該製氷板(18)の製氷面(22a)に対して製氷水散水器(32)から受けた製氷水を案内する散水案内器(40)と、製氷板(18)における製氷面(22a)と反対側の裏面に対して除氷水を供給する除氷水散水器(50)とを備えた流下式製氷機の散水装置において、
前記散水案内器(40)は、
立てた姿勢の前記製氷板(18)の横方向に間隔をあけて形成されて上下方向に延在する突条部(20)の上端に載置される被覆部(42)と、
前記突条部(20)の突出端側から隣り合う突条部(20,20)の間に形成された前記製氷面(22a)側へ向かうにつれて下方傾斜する姿勢で、製氷面(22a)に臨むように隣り合う被覆部(42,42)間に設けられ、傾斜下端と製氷面(22a)との間に画成されるスリット(44a)を介して製氷面(22a)に製氷水を案内する案内部(44)と、
前記突条部(20)の基端側に位置する前記被覆部(42)の端縁部に凹設された収容部(48)とを備え、
前記除氷水散水器(50)は、
前記製氷水散水器(32)の下方において前記製氷板(18)の上部裏面に位置して該製氷板(18)の横方向に亘って延在するよう設けられ、該製氷板(18)の裏面に除氷水を供給する供給孔(54)を有する本体部(52)と、
前記本体部(52)の側面に横方向に延在するように突出形成され、前記収容部(48)に収容されて該製氷板(18)の上端に当接するフランジ部(56)とを備えた
ことを特徴とする流下式製氷機の散水装置。
【請求項２】
前記収容部(48)は、前記フランジ部(56)の載置面が前記製氷板(18)の上端と同一高さになるよう形成される請求項１記載の流下式製氷機の散水装置。
【請求項３】
前記収容部(48)は、前記フランジ部(56)と整合するよう形成され、該収容部(48)に収容されたフランジ部(56)の突出端と前記突条部(20)の基端側に面する前記被覆部(42)の端面とが当接するよう構成した請求項１または２記載の流下式製氷機の散水装置。
【発明の詳細な説明】
【技術分野】
【０００１】
この発明は、流下式製氷機の製氷板に対して製氷水および除氷水を供給する散水装置に関するものである。
【背景技術】
【０００２】
氷塊を自動的に製造する製氷機としては、安価に大量の氷塊を生成し得る流下式製氷機が知られている(例えば、特許文献１参照)。図６に示すように、流下式製氷機１０は、断熱箱体１２に内部画成した貯氷室１４の上方に、氷塊Ｍを生成する製氷ユニット６０を備えている。
【０００３】
図７または図８に示すように、製氷ユニット６０は、略垂直な姿勢で対向配置される一対の製氷板１８,１８と、両製氷板１８,１８の裏面間に配設した蒸発管２４とを備え、製氷運転に際して蒸発管２４に冷媒を流通することで、各製氷板１８が強制冷却される。各製氷板１８には、上下方向へ延在する複数の突条部２０が横方向に所定間隔毎に設けられ、隣り合う突条部２０,２０によって製氷板１８の表面に上下方向に延在する製氷面２２ａが画成される。また製氷ユニット６０は、一対の製氷板１８,１８の下方に配設されて、製氷水を貯留する製氷水タンク２５と、一対の製氷板１８,１８の上方に配設され、両製氷板１８,１８に対して製氷水および除氷水を供給する散水装置６２とを備えている。
【０００４】
前記散水装置６２は、製氷水タンク２５から圧送された製氷水を下面に複数設けた散水孔６４ａから散水する製氷水散水器６４と、この製氷水散水器６４と製氷板１８の上部との間に設置され、製氷水散水器６４の散水孔６４ａから散水された製氷水を各製氷面２２ａの上部に案内する散水案内器７０と、製氷水散水器６４の下方に位置して一対の製氷板１８,１８の間に設置され、除氷水を製氷板１８の裏面に供給する除氷水散水器６６とを備えている。製氷運転において、製氷ユニット６０では、製氷水が冷却された製氷面２２ａを流下する過程で氷結すると共に、製氷面２２ａの下端縁から流下する未氷結の製氷水は、製氷水タンク２５に回収されて、製氷水散水器３２および散水案内器７０を介して製氷面２２ａに再び供給される。また除氷運転において、製氷ユニット６０では、除氷水散水器６６から供給された除氷水によって製氷板１８を温めて離氷を補助すると共に、製氷板１８から流下した除氷水が製氷水タンク２５に回収されて次回の製氷運転の製氷水として用いられる。
【０００５】
前記散水案内器７０は、突条部２０の上部を覆って該突条部２０の上端に載置される被覆部７２と、この被覆部７２に接続して製氷面２２ａに対応して設けられ、突条部２０の突出端側から製氷面２２ａへ向かうにつれて下方傾斜する案内部７４とから構成される。また、散水案内器７０では、案内部７４の傾斜下端が対応の製氷面２２ａから僅かな隙間をあけて位置するように設定されている。そして、散水案内器７０では、製氷水散水器６４の散水孔６４ａから散水された製氷水を案内部７４で案内し、案内部７４の傾斜下端と製氷面２２ａとの間に画成されるスリット７４ａを介して製氷面２２ａに対して製氷水を供給するようになっている。
【０００６】
前記除氷水散水器６６は、一対の製氷板１８,１８の間に配置されて、下面に複数の供給孔６７ａが開設された筒状の本体部６７と、この本体部６７の側面に突出形成されたフランジ部６８,６８とから構成されている。散水装置６２は、被覆部７２を突条部２０の上端に載置して散水案内器７０を一対の製氷板１８,１８の上部に設置した後、フランジ部６８,６８を対応の被覆部７２に載置することで、除氷水散水器６６が製氷板１８の上部に設置されるようになっている(図７または図８参照)。
【先行技術文献】
【特許文献】
【０００７】
【特許文献１】実開平７−６６５７号公報
【発明の概要】
【発明が解決しようとする課題】
【０００８】
前述の如く、散水装置６２は、製氷板１８の突条部２０に載置した散水案内器７０の被覆部７２の上に除氷水散水器６６のフランジ部６８を載せる構成であるから、製氷板１８における製氷面２２ａの上端とフランジ部６８の下面との間に被覆部７２の板厚分の隙間Ｓがあいてしまう。製氷ユニット６０では、製氷板１８の上方に製氷面２２ａ側から裏面側に連通する隙間Ｓがあると、製氷水散水器６４から散水された製氷水が散水案内器７０の案内部７４に当たって跳ね返る等することで、製氷水が隙間Ｓを伝って製氷板１８の裏面側に流出してしまう難点がある。製氷水が製氷板１８の裏面側に流出すると、製氷板１８の裏面で氷が成長して製氷面２２ａでの氷塊Ｍの成長を阻害したり、除氷運転において製氷板１８の裏面に生成された氷を溶かすために除氷水や蒸発管２４を流通するホットガスの熱が消費されてしまって除氷効率を悪化させたり、蒸発管２４と製氷板１８との間で氷が成長することで蒸発管２４を製氷板１８から剥離させてしまう等の多くの弊害が生じる。
【０００９】
すなわち本発明は、従来の技術に係る流下式製氷機の散水装置に内在する前記問題に鑑み、これらを好適に解決するべく提案されたものであって、製氷板の裏面側への製氷水の流出を防止し得る流下式製氷機の散水装置を提供することを目的とする。
【課題を解決するための手段】
【００１０】
前記課題を克服し、所期の目的を達成するため、本願の請求項１に係る発明の流下式製氷機の散水装置は、
製氷板の上方に設けられ、該製氷板の製氷面に対して製氷水散水器から受けた製氷水を案内する散水案内器と、製氷板における製氷面と反対側の裏面に対して除氷水を供給する除氷水散水器とを備えた流下式製氷機の散水装置において、
前記散水案内器は、
立てた姿勢の前記製氷板の横方向に間隔をあけて形成されて上下方向に延在する突条部の上端に載置される被覆部と、
前記突条部の突出端側から隣り合う突条部の間に形成された前記製氷面側へ向かうにつれて下方傾斜する姿勢で、製氷面に臨むように隣り合う被覆部間に設けられ、傾斜下端と製氷面との間に画成されるスリットを介して製氷面に製氷水を案内する案内部と、
前記突条部の基端側に位置する前記被覆部の端縁部に凹設された収容部とを備え、
前記除氷水散水器は、
前記製氷水散水器の下方において前記製氷板の上部裏面に位置して該製氷板の横方向に亘って延在するよう設けられ、該製氷板の裏面に除氷水を供給する供給孔を有する本体部と、
前記本体部の側面に横方向に延在するように突出形成され、前記収容部に収容されて該製氷板の上端に当接するフランジ部とを備えたことを特徴とする。
請求項１に係る発明によれば、除氷水散水器のフランジ部と製氷板の上端とを当接させてフランジ部で製氷板の上側を塞ぐことができるので、製氷板の製氷面側に供給した製氷水が製氷板の裏面側に回り込むのを防止し得る。
【００１１】
請求項２に係る発明では、前記収容部は、前記フランジ部の載置面が前記製氷板の上端と同一高さになるよう形成されることを要旨とする。
請求項２に係る発明によれば、収容部の載置面にフランジ部を収容して除氷水散水器を散水案内器に取り付けた状態で、散水案内器を製氷板の上部に取り付けることで、フランジ部を製氷板の上端に当接させることができる。
【００１２】
請求項３に係る発明では、前記収容部は、前記フランジ部と整合するよう形成され、該収容部に収容されたフランジ部の突出端と前記突条部の基端側に面する前記被覆部の端面とが当接するよう構成したことを要旨とする。
請求項３に係る発明によれば、散水案内器の被覆部の上側から製氷水が製氷板の裏面側に回り込むのを防止し得る。
【発明の効果】
【００１３】
本発明に係る流下式製氷機の散水装置によれば、製氷板の裏面側への製氷水の流出を防止できるので、氷塊を効率よく生成できる。
【図面の簡単な説明】
【００１４】
【図１】本発明の好適な実施例に係る散水装置を備えた製氷ユニットの要部を示す側断面図である。
【図２】実施例の散水装置を備えた製氷ユニットを示す正面図である。
【図３】実施例の散水装置の散水案内器および除氷水散水器を分解した状態で破断して示す要部斜視図である。
【図４】実施例の散水装置の散水案内器および除氷水散水器を組み付けた状態で破断して示す要部斜視図である。
【図５】実施例の製氷ユニットの製氷水タンクについて、氷案内部を一部取り外した状態で示す要部斜視図である。
【図６】一般的な流下式製氷機を示す側断面図である。
【図７】従来の散水装置を備えた製氷ユニットを示す側断面図である。
【図８】従来の散水装置を備えた製氷ユニットの要部を示す斜視図である。
【発明を実施するための形態】
【００１５】
次に、本発明に係る流下式製氷機の散水装置につき、好適な実施例を挙げて、添付図面を参照して以下に説明する。なお、説明の便宜上、図６に示した流下式製氷機の構成要素と同一の要素については、同一の符号を使用して詳細な説明は省略する。また、製氷板の表面とは、氷塊を生成する側をいい、裏面とは製氷板を冷却する蒸発管が配設される側をいう。
【実施例】
【００１６】
流下式製氷機１０には、氷塊Ｍを生成する製氷ユニット１６が断熱箱体１２の内部に画成された貯氷室１４の上方に配設され、製氷ユニット１６から放出された氷塊Ｍが貯氷室１４で貯蔵されるようになっている。図２または図３に示すように、製氷ユニット１６は、略垂直な姿勢で間隔をあけて対向配置した一対の製氷板１８,１８と、両製氷板１８,１８の対向面間に配設した蒸発管２４と、両製氷板１８,１８の直下に設けられ、製氷水を貯留すると共に両製氷板１８,１８から流下する製氷水を回収する製氷水タンク２６とを備えている。また製氷ユニット１６には、一対の製氷板１８,１８の上方に配置して、製氷水および除氷水を両製氷板１８,１８に供給する散水装置３０が設けられている。
【００１７】
前記製氷板１８は、該製氷板１８の横方向に間隔をあけて設けられ、上下方向に延在する複数の突条部２０と、隣り合う突条部２０,２０の間に画成される製氷部２２とから構成される。すなわち製氷板１８は、平面視において山形の突条部２０と平坦な製氷部２２とが連なるジグザグ状に形成される。各突条部２０は、他方の製氷板１８から離間する側に突出するように形成され、製氷板１８の表面側が凸となっている。なお、製氷板１８の両側部には、突条部２０が夫々配置される。ここで、一対の製氷板１８,１８は、同一の構成であって、蒸発管２４を挟んで対称な関係で設置されている。
【００１８】
前記製氷部２２は、製氷板１８の表面側が氷塊Ｍが生成される製氷面２２ａとなり、上下方向に延在する製氷面２２ａにおいて、複数の氷塊Ｍが上下方向に離間して生成されるように設定されている。また製氷部２２には、製氷面２２ａにおける氷塊Ｍが生成される製氷位置の下方に対応して、氷塊Ｍを製氷面２２ａから剥離させる突起２２ｂが夫々形成されている。各突起２２ｂは、製氷面２２ａに臨む底面が横方向に長い矩形状に形成されると共に、断面が図１に示すように上下面が斜辺となる三角形状に形成されている。
【００１９】
前記蒸発管２４は、反復する蛇行状に形成されており、図２に示す如く、直線部２４ａを横方向に延在すると共に曲部２４ｂを製氷板１８の側部に位置させた状態で、両製氷板１８,１８の対向面間に設置される。また、蒸発管２４において、製氷板１８の上下方向に離間して延在する直線部２４ａは、各製氷板１８における製氷部２２の裏面に当接し、この直線部２４ａの当接部位に対応する製氷部２２の製氷面２２ａが、氷塊Ｍが生成される前記製氷位置となる。蒸発管２４は、図示しない冷凍装置の一部を構成し、製氷運転に際して、蒸発管２４に流通する冷媒との熱交換により、各製氷板１８の製氷部２２を強制冷却するようになっている。また蒸発管２４には、除氷運転に際してホットガスが流通し、各製氷板１８の製氷部２２を加温するようになっている。
【００２０】
前記製氷水タンク２６は、上部が開口する箱状に形成されている(図５参照)。また、製氷水タンク２６は、横寸法が製氷板１８の横方向の寸法と略同一で、前後寸法が一方の製氷板１８における突条部２０の突出端から他方の製氷板１８における突条部２０の突出端までの寸法と略同一に設定される。製氷水タンク２６の上部開口は、両製氷板１８,１８における製氷部２２および突条部２０の直下に配置され、両製氷板１８,１８から流下する未氷結の製氷水および除氷水を受容して、製氷運転で使用する製氷水として貯留するようになっている。また、製氷水タンク２６の上端部には、除氷運転に際して両製氷板１８,１８から離脱した氷塊Ｍを貯氷室１４に案内する氷案内部材２８が装着されている。図５に示すように、氷案内部材２８は、両製氷板１８,１８の対向方向の断面が山形に形成された複数の板状体２８ａを並設して構成され、この山形の頂部が、両製氷板１８,１８の裏面間の中間位置に臨むように配置され、対応の製氷板１８の下方に位置する傾斜面で氷塊Ｍを夫々案内するようになっている。氷案内部材２８には、隣り合う板状体２８ａ,２８ａの間に隙間２８ｂが開設されており、未氷結の製氷水および除氷水と氷塊Ｍとが氷案内部材２８で分離されて、製氷水等だけが隙間２８ｂを介して製氷水タンク２６に回収される。
【００２１】
前記製氷水タンク２６は、一対の製氷板１８,１８の対向方向に向かい合う側壁が底側に向かうにつれて段状に先窄まりになるよう形成され、両製氷板１８,１８における対向方向の内側面に段部２６ａが夫々設けられている(図５参照)。また製氷水タンク２６の内側面には、段部２６ａの上側から上下方向に延在する取付片２７が内方に突出するよう形成されている。取付片２７は、製氷水タンク２６の長手方向に離間して複数設けられている。氷案内部材２８は、製氷水タンク２６の長手方向に延在する側壁２８ｃを備え、この側壁２８ｃの上側に複数の板状体２８ａが接続されている、側壁２８ｃの外側面には、製氷水タンク２６の取付片２７に対応して挟持部２９が設けられている。挟持部２９は、取付片２７の板厚分だけ離間して対向配置された一対の挟持片２９ａ,２９ａから構成され、各挟持片２９ａは、側壁２８ｃの外側面に上下方向に延在するよう突出形成されている。氷案内部材２８は、挟持部２９の一対の挟持片２９ａ,２９ａの間に対応の取付片２７を挟んで側壁２８ｃを製氷水タンク２６の内側に挿入すると共に、側壁２８ｃを段部２６ａに載置することで、製氷水タンク２６に対して位置決めされるようになっている。
【００２２】
実施例の製氷水タンク２６の如く、取付片２７を内側面の中間部から上方に延在するよう形成することで、取付片２７が製氷水タンク２６の底から上方に延在するよう設けられた場合と比べて、製氷運転において製氷水タンク２６内に生じる綿氷や不純物等のゴミが取付片２７に引っ掛かり難い。また、製氷水タンク２６における取付片２７の下側部分(段部２６ａの下側部分)を通って製氷水が流通可能であるから、取付片２７に起因する製氷水タンク２６からの溢水を防止できる。氷案内部材２８は、製氷水タンク２６の内側面における中間部から上方に延在する取付片２７に対応して挟持部２９を設ければよいので、挟持部２９への綿氷等の引っ掛かりも抑制できる。更に、取付片２７および挟持部２９を小型化できるので、製氷水タンク２６および氷案内部材２８を成型するための型構造も簡単にできる。
【００２３】
前記散水装置３０は、製氷水タンク２６から圧送された製氷水を下面に複数設けた散水孔３４から散水する製氷水散水器３２と、この製氷水散水器３２と製氷板１８の上部との間に設置され、製氷水散水器３２の散水孔３４から散水された製氷水を各製氷面２２ａの上部に案内する散水案内器４０と、製氷水散水器３２の下方に位置して一対の製氷板１８,１８の間に設置され、除氷水を製氷板１８の裏面に供給する除氷水散水器５０とを備えている。
【００２４】
前記製氷水散水器３２は、長尺な中空筒状(実施例では角筒状)の部材であって、その長手方向を製氷板１８の横方向に沿わせて両製氷板１８,１８の上方に設置されている(図１または図２参照)。また製氷水散水器３２は、製氷板１８の横方向全体に亘って延在するよう形成される。製氷水散水器３２は、製氷水タンク２６に連通する製氷水パイプ３６が一側部に接続されると共に、下面における各製氷板１８の製氷面２２ａに対応する位置に散水孔３４が開設されている。すなわち、製氷水散水器３２には、散水孔３４が２列に並べて設けられる。製氷水散水器３２は、製氷運転において製氷水パイプ３６に介挿された製氷水ポンプ３８によって、製氷水タンク２６から圧送される製氷水を受けて各散水孔３４から下方へ散布するようになっている。
【００２５】
前記散水案内器４０は、製氷板１８の横方向全体に亘って延在するように形成された長尺な部材であって、製氷水散水器３２の下面に相対した状態で一対の製氷板１８,１８の上部に取付けられる(図１〜図４参照)。散水案内器４０は、各製氷板１８における各突条部２０の上部に位置する被覆部４２と、各製氷板１８における各製氷部２２に対応して位置する案内部４４とからなる案内列が、各製氷板１８に対応して長手辺に沿って対称な関係で夫々形成されている(図３参照)。
【００２６】
前記各被覆部４２は、水平方向に延在する水平片４２ａと、この水平片４２ａの両側縁から夫々垂下する側片４２ｂとから構成される(図３参照)。そして、各被覆部４２は、散水案内器４０を製氷板１８に組付けた際に、水平片４２ａが突条部２０の上端に載置されて突条部２０の上面を覆うと共に、側片４２ｂが突条部２０における表面側の対応する側面上部を覆うようになっている(図４参照)。散水案内器４０において、対向する前記案内列は、対向する被覆部４２,４２の間に架設された連結部４６で接続され(図３参照)、連結部４６が一対の製氷板１８,１８の間において対向する突条部２０,２０に挿入されている。
【００２７】
前記各案内部４４は、横方向に隣り合う被覆部４２,４２の対向する側片４２ｂ,４２ｂに接続して設けられ、上方から下方に向かうにつれて一方(実施例では他方の案内列側へ近接する方向)へ傾斜するように形成されている。すなわち、散水案内器４０を製氷板１８に組付けた際に、各案内部４４は、突条部２０の突出端側から製氷部２２の製氷面２２ａへ向かうにつれて下方傾斜するよう形成される(図１参照)。また、各案内部４４の傾斜下端と製氷面２２ａとの間には、製氷水の流下を許容するスリット４４ａが画成される(図１または図４参照)。なお、各案内部４４の横幅は、対応する製氷部２２における製氷面２２ａの横幅と略同一寸法に設定されている。そして、各案内部４４は、該案内部４４に対応して夫々設けられた製氷水散水器３２の散水孔３４から散水された製氷水を受けて、対応の製氷部２２の製氷面２２ａにスリット４４ａを介して製氷水を案内するようになっている。なお、各案内部４４の上端には、被覆部４２の上端より低く設定した切欠部４４ｂが形成され、スリット４４ａが綿氷で閉塞した際に、製氷水が切欠部４４ｂのみからオーバーフローするようになっている。
【００２８】
前記散水案内器４０は、突条部２０の基端側に位置する被覆部４２の端縁部に凹設された収容部４８を備え、この収容部４８に除氷水散水器５０の後述するフランジ部５６が収容されるようになっている(図１または図４参照)。収容部４８は、被覆部４２における水平片４２ａの少なくとも板厚分を該被覆部４２の上面から切り欠くように形成される。収容部４８は、製氷板１８の裏面側より表面側(突条部２０の基端側から突出端側)に向けて突出形成されるフランジ部５６を収容可能な範囲に亘って被覆部４２の裏面側の端縁から形成される。実施例の散水案内器４０では、水平片４２ａの板厚分だけ凹むように形成され、収容部４８においてフランジ部５６の載置面を構成する側片４２ｂおよび連結部４６の上端が製氷板１８の上端と同一高さになるように構成されている。また実施例の収容部４８は、一対の製氷板１８,１８の間に取付けた除氷水散水器５０のフランジ部５６と整合するよう形成され、収容部４８に収容されたフランジ部５６の突出端と突条部２０の基端側に面する被覆部４２(水平片４２ａ)の端面とが当接するように構成されている。なお、実施例の製氷板１８は、上端の高さが一定になるよう形成されている。
【００２９】
前記除氷水散水器５０は、製氷水散水器３２の下方に位置して製氷板１８の上部裏面側に配置されている(図１参照)。除氷水散水器５０は、複数の供給孔５４が開設された本体部５２と、この本体部５２の製氷板１８に面する側面に設けられたフランジ部５６とを備えている(図３参照)。実施例の除氷水散水器５０では、対向配置した一対の製氷板１８,１８の夫々に対応して、本体部５２の向かい合う側面の夫々にフランジ部５６,５６が対称的な位置関係で突出形成されている。本体部５２は、長尺な中空筒状体であって、製氷板１８の横方向に亘って延在するように、一対の製氷板１８,１８の間に設置されている(図２参照)。また、本体部５２の一側部には、水道等の外部水道源に給水弁ＷＶを介して接続する除氷水パイプ５８が接続され、給水弁ＷＶの開閉により本体部５２の長手方向に離間配置された供給孔５４から除氷水を製氷板１８の裏面に供給または供給停止し得るようになっている。
【００３０】
各フランジ部５６は、本体部５２の長手方向に沿う外側面に突出形成された板状部位であって、本体部５２の長手方向全体に亘って延在するよう設けられている(図３参照)。またフランジ部５６は、本体部５２の外側面における上下方向の中間部位に設けられ、実施例では上側に偏倚した部位に配置されている。ここで、本体部５２は、両フランジ部５６,５６より上側の部位が半円形状に形成されると共に、両フランジ部５６,５６より下側の部位が略矩形状に形成されている。
【００３１】
前記除氷水散水器５０は、両フランジ５６,５６より下側の部位を一対の製氷板１８,１８の間に嵌め合わせると共に、両フランジ部５６,５６を散水案内器４０の対応する案内列の収容部４８に載置して製氷板１８,１８に対して組み付けられる(図４参照)。前述の如く、散水装置３０では、収容部４８の載置面が製氷板１８の上端と同一高さとなっているので、除氷水散水器５０のフランジ部５６が製氷板１８の上端で支持される。すなわち、散水装置３０は、フランジ部５６の下面と製氷板１８の上端とが当接するよう構成される。また本体部５２における両フランジ部５６,５６より下側の部位は、連結部４６において一対の製氷板１８,１８の間に位置して凹設された凹状部４６ａにはまるようになっている。更に本体部５２における両フランジ部５６,５６より上側の部位は、製氷水散水器３２の下面に当該部位に合わせて凹設された溝部３２ａにはまり、除氷水散水器５０に載置される製氷水散水器３２を位置決めできるようになっている(図１または図４参照)。
【００３２】
〔実施例の作用〕
次に、実施例に係る散水装置３０の作用について説明する。製氷運転では、製氷水ポンプ３８を駆動することで、製氷水タンク２６に貯留されている製氷水が、製氷水パイプ３６を介して製氷水散水器３２に供給される。製氷水は、製氷水散水器３２の散水孔３４から該散水孔３４に対向する散水案内器４０の各案内部４４に夫々散水され、案内部４４の傾斜に案内されて流下し、案内部４４の傾斜下端に画成されたスリット４４ａから製氷板１８における対応の製氷面２２ａに供給される。製氷水は、製氷板１８の製氷面２２ａを膜状に流下し、蒸発管２４を流通する冷媒との熱交換により冷却された製氷位置を中心として、徐々に氷結を始める。そして、氷結することなく両製氷板１８,１８から流下する製氷水は、氷案内部材２８の隙間２８ｂを介して製氷水タンク２６に回収され、両製氷板１８,１８に再び供給される。
【００３３】
前記散水装置３０は、製氷板１８の上端に被覆部４２を載置することで製氷板１８に対して組み付けられる散水案内器４０に収容部４８を設け、除氷水散水器５０のフランジ部５６を被覆部４２に載置するのではなく、フランジ部５６を収容部４８に収容することで製氷板１８の上端でフランジ部５６を支持し得る構成である。すなわち、散水装置３０では、フランジ部５６の下面が製氷板１８の上端に当接するので、製氷板１８の上方をフランジ部５６で塞ぐことができる(図１参照)。従って、製氷板１８の表面側上部では、各製氷部２２の製氷面２２ａに対応した案内部４４に向けて製氷水散水器３２の散水孔３４から製氷水が散水されて、案内部４４に跳ね返って製氷水が飛散することがあるが、製氷板１８の上方がフランジ部５６で塞がれているので、製氷水が製氷板１８の裏面側に流出することを回避し得る。このため、製氷ユニット１６では、製氷運転において製氷面２２ａに製氷水を適切に流下させることができ、製氷水不足や製氷板１８の裏面で氷が成長することに起因する製氷面２２ａでの氷塊Ｍの成長不良を防止できる。また製氷ユニット１６は、除氷運転において製氷板１８の裏面に生成された氷を溶かすために除氷水や蒸発管２４を流通するホットガスの熱が消費されることはなく、効率よく離氷できると共に、蒸発管２４と製氷板１８との間で氷が成長することによる蒸発管２４が製氷板１８から剥離する等の弊害が生じない。
【００３４】
前記散水装置３０は、収容部４８がフランジ部５６と整合するよう形成され、収容部４８に収容されたフランジ部５６の突出端と突条部２０の基端側に面する被覆部４２における水平片４２ａの端面とが当接するように構成されている。すなわち、散水装置３０は、フランジ部５６と水平片４２ａとの間に隙間が生じないので、被覆部４２の上側から製氷水が製氷板１８の裏面側に回り込むことを防止し得る。
【００３５】
前記散水装置３０は、収容部４８におけるフランジ部５６の載置面が、散水案内器４０を製氷板１８に取り付けた際に、製氷板１８の上端と同一高さになるよう構成されているので、散水案内器４０に除氷水散水器５０を組み付けてから、散水案内器４０を製氷板１８に取り付けることができる。すなわち、散水装置３０は、散水案内器４０を製氷板１８に取り付けなくても収容部４８にフランジ部５６を収容することで、除氷水散水器５０を散水案内器４０に位置決めした状態で取り付けることができる。そして、除氷水散水器５０が取り付けられた散水案内器４０を製氷板１８の上部に取り付けることで、収容部４８の載置面が製氷板１８の上端と一致しているから、フランジ部５６の下面を製氷板１８の上端に簡単に当接させることができる。
【００３６】
(変更例)
本発明は、前述の実施例の構成に限定されず、以下の如く変更することも可能である。
(１)実施例では、製氷部として、一対の製氷板を蒸発管を挟んで対向配置した構成で説明したが、例えば１枚の製氷板の裏面に蒸発管を蛇行配置したものであってもよい。
【符号の説明】
【００３７】
１８  製氷板，２０  突条部，２２ａ  製氷面，３２  製氷水散水器，
４０  散水案内器，４２  被覆部，４４  案内部，４４ａ  スリット，
４８  収容部，５０  除氷水散水器，５２  本体部，５４  供給孔，
５６  フランジ部
【図１】
2010190450.tif 000003
【図２】
2010190450.tif 000004
【図３】
2010190450.tif 000005
【図４】
2010190450.tif 000006
【図５】
2010190450.tif 000007
【図６】
2010190450.tif 000008
【図７】
2010190450.tif 000009
【図８】
2010190450.tif 000010